(57)【要約】【課題】  例えば家電量販店等の店舗やイベント会場に設置して、商品の広告や行先案内に使用される表示板を備えたスタンド式の表示体が知られているが、このような表示体の表示内容や表示場所を頻繁に変更する必要がある場合、新しい表示体を新たに購入したり古い表示体を廃棄廃棄したりすることなく、その表示内容を容易に変更可能とすることで、廃棄せずに繰り返し使用できる表示体を提供することをその課題とする。【解決手段】  底板と柱状物とが互いに着脱可能に係合し、柱状物は一枚の板材が曲げられて形成されており、さらに柱状物の一側面には、表示内容を示すシート状物（例えば印刷された紙片）を収容するシート収容ポケットを備えているから、このような表示体は、シート状物を入れ替えるのみで表示内容を変更することが可能である。【選択図】図１
2018025622.tif 000002
【特許請求の範囲】
【請求項１】
一枚の板材が曲げられて形成された柱状物と、
当該柱状物の一側面に設けられ、シート状物を収容するシート収容ポケットと、
を有する、表示体。
【請求項２】
底板と、
当該底板に着脱可能に係合し、一枚の板材が曲げられて形成された柱状物と、
当該柱状物の一側面に設けられ、シート状物を収容するシート収容ポケットと、
を有する、表示体。
【請求項３】
前記板材は、その一端に係合舌片を有し、当該一端と対向する位置にある他端近傍に被係合穴を有し、
前記柱状物は、係合舌片と被係合穴とが着脱可能に係合して形成される、
請求項１又は請求項２の何れかに記載の表示体。
【請求項４】
前記底板は、その一面上に立設された壁部の内周に係合部を有し、
前記板材は、その一側端に第一被係合部を有し、
前記係合部と前記第一被係合部とが着脱自在に係合することで前記柱状物が前記底板に対して立設するように形成された、
請求項２及び請求項３に記載の表示体。
【請求項５】
前記底板は、第一底板片と第二底板片とが着脱自在に接続されて形成された、
請求項２乃至請求項４の何れかに記載の表示体。
【請求項６】
前記表示体は、蓋体を有し、
前記板材は、前記第一被係合部を有する一側端と対向する位置にある他側端に第二被係合部を有し、
前記蓋体は、頭頂板と、当該頭頂板の側端に立設された蓋壁部を有し、当該蓋壁部の内周面には、前記板材が前記柱状物を形成したときに前記第二被係合部に係合する係合部を有する、
請求項１乃至請求項５の何れかに記載の表示体。
【請求項７】
前記板材は、ベルト通過穴を有する、
請求項１乃至請求項６の何れかに記載の表示体。
【発明の詳細な説明】
【技術分野】
【０００１】
本発明は、店舗やイベント会場などにおいて行先案内を表示するための表示体に関する。
【背景技術】
【０００２】
従来より、例えば家電量販店等の店内やイベント会場に設置して、商品の広告や行先案内に使用される表示板を備えたスタンド式の表示体が知られているが、このような表示体は、通常、商品の広告に用いられるのであれば新商品が発売される度に新しいものが必要となり、行先案内に用いられるのであれば、店内やイベント会場のレイアウトが変わる度に新しいものが必要となることから、製造コストを抑えるたものであることが求められている。
【０００３】
ところで、技術の進歩やトレンドの移り変わりが著しい今日において、新商品の開発期間は以前にも増して短くなっており、各販売店には毎日のように目を引くような広告と共に新製品が入れ替わりで陳列され、それに伴い店内のレイアウトが頻繁に変更される。このため、新商品の発売やレイアウト変更の度に新しい表示体が設置され、場合によっては古い表示体が廃棄される。
【０００４】
このような行為は、結果的には資源を浪費することになるとともに、表示体を使用する者にとってはコストの負担が無視できないものとなることが考えられ、さらに、このような事情が、新商品の発売やレイアウト変更の度に新しい表示体を設置することの足かせとなっている。
【発明の概要】
【発明が解決しようとする課題】
【０００５】
本発明は、このような事情を踏まえ、その表示内容を容易に変更可能とすることで、廃棄せずに繰り返し使用できる表示体を提供することをその課題とする。
【０００６】
すなわち、本発明の表示体は、シート状物を柱状物に装着することで表示体を形成するものであって、且つ、不使用時には解体して保管することが出来るように形成されたものである。
【課題を解決するための手段】
【０００７】
上記の課題を解決するため、本発明では、次の技術的手段を講じている。
【０００８】
具体的には、一枚の板材が曲げられて形成された柱状物と、当該柱状物の一側面に設けられ、シート状物を収容するシート収容ポケットと、を有する、表示体である。
【０００９】
また、底板と、当該底板に着脱可能に係合し、一枚の板材が曲げられて形成された柱状物と、当該柱状物の一側面に設けられ、シート状物を収容するシート収容ポケットと、を有する、表示体であってもよい。
【００１０】
前記板材は、その一端に係合舌片を有し、当該一端と対向する位置にある他端近傍に被係合穴を有し、前記柱状物は、係合舌片と被係合穴とが着脱可能に係合して形成される。
【００１１】
つまり、係合舌片が設けられた一端と被係合孔が設けられた他端近傍との間に、ヒンジを有さないなら、係合舌片と被係合孔とを係合させると板材が丸められて、以て柱状物は円柱状を呈し、複数のヒンジを有するなら、板材がそのヒンジで折り曲げられ、係合舌片と被係合穴とが着脱可能に係合することで、柱状物が形成される。
【００１２】
例えば、ヒンジが２本であれば、それらヒンジが二角を形成し、係合部と非係合部とが係合した箇所が一角を形成し、以て三角柱状を呈することになるが、ヒンジの有無やその数、すなわち柱状物の形状は、表示体の大きさや表示する範囲の大きさ、さらにシート収容ポケットの数に応じて好適なものが選択されればよい。
【００１３】
前記底板は、その一面上に立設された壁部の内周に係合部を有し、前記板材は、その一側端に第一被係合部を有し、表示体は、前記係合部と前記第一被係合部とが着脱自在に係合することで前記柱状物が前記底板に対して立設するように形成されている。
【００１４】
このように形成されることにより、底板に立設された壁部が柱状物の一側端の外側で接しながら底板と柱状物とが係合するから、壁部は、底板に対して柱状物が倒れるのをその外側から抑えることになる。
【００１５】
前記底板は、第一底板片と第二底板片とが着脱自在に接続されて形成される。
【００１６】
具体的には、第一底板片の一側端に設けられた接続部と、第二底板片の一側端に設けられた被接続部と、が接続されることによって１枚の底板が形成されるものであり、接続部と被接続部とのいずれか一方が、壁部が立設される方向とは逆の方向に立設されたフック部であり、もう一方が当該フック部に係合するフック受け部であってもよい。
【００１７】
さらに、第一底板片の一側端は、接続部と被接続部とが接続されたとき、換言するとフック部の内壁とフック受け部とが当接したときに第二底板片の一側端と当接するが、例えば、第一底板片の一側端からフック受け部の内周面までの距離が、第二底板片の一側端からフック部の内壁までの距離よりもわずかに短く形成されていれば、第一底板片と第二底板片とが接続されるときにフック部やフック受け部がわずかに撓むことになり、その撓みに対する復元力により、第一底板片と第二底板片とが強固に接続されることなる。
【００１８】
前記表示体は、蓋体を有し、前記板材は、前記第一被係合部を有する一側端と対向する位置にある他側端に第二被係合部を有し、前記蓋体は、頭頂板と、当該頭頂板の側端に立設された蓋壁部を有し、当該蓋壁部の内周面には、前記板材が前記柱状物を形成したときに前記第二被係合部に係合する係合部を有する。
【００１９】
つまり、底板やベースに対して立設された状態の柱状物の頭頂部において蓋体の係合部を第二被係合部に係合させることで、蓋体が、板材が折り曲げられて柱状物の側面を形成しながら頭頂部に何ら面が形成されずに生じた穴を塞ぐ、つまり、蓋体の頭頂板が屋根部を形成する。
【００２０】
前記板材は、ベルト通過穴を有する。
【００２１】
柱状物を底板に対して立設されるように係合させて表示体を形成することのほか、このような柱状物を、ベースと支柱とパーテーションベルトとを有する所謂ベルトパーテーションスタンドに取り付ける。具体的には、ベースに対して、柱状物を支柱の外周を覆うように載置することで、ベースに対して柱状物が立設された表示体を形成してもよい。
【００２２】
このように表示体を形成する場合、ベルト通過穴をベルトパーテーションスタンドのベルト導出部に対応する位置に設定すれば、柱状物に覆われた支柱のベルト導出部からベルト通過穴を通ってパーテーションベルトが柱状物の外に出ることが出来るから、このようなベルトパーテーションスタンドは、自らが持つパーテーションとしての機能に加えて表示体としての機能をも担保することが出来る。
【発明の効果】
【００２３】
本発明によれば、表示体は、底板と柱状物とが着脱自在に係合されて成るから、不使用時にはその係合を解除して、さらに底板と柱状物とをそれぞれ解体して、広大なスペースを占有する事無くこれを保管することが出来る。
【００２４】
また、板材がポリプロピレンなどの合成樹脂により薄く形成されるのであれば、その重量は軽いため、この表示体の持ち運びが容易である。
【００２５】
さらに、柱状物の一側面にシート状物を収容するシート収容ポケットを有し、表示内容を記したシート状物（例えば印刷された紙片）をシート収容ポケットに収容することで、その表示内容を示すため、表示内容を変更するにはそのシート状物を入れ替えるのみでいいから、表示内容が変わる度に古い表示体を廃棄して新たな表示体を製造することなく、一の表示体を何度でも繰り返し使用することが出来る。
【図面の簡単な説明】
【００２６】
【図１】本発明の第一実施形態に係る表示体の斜視図である。
【図２】蓋体、柱状物、底板をそれぞれ取り外した状態を示す正面図である。
【図３】シート収容ポケットにシート状物を収容した状態を示す拡大斜視図である。
【図４】板材を開いた状態を示す斜視図である。
【図５】本発明の第一実施形態に係る表示体の背面図である。
【図６】底板の平面図である。
【図７】第一底板片と第二底板片とを接続した状態と接続しない状態とを示す底面図である。
【図８】蓋体の底面図である。
【図９】従来のベルトパーテーションスタンドを示す図である。
【図１０】本発明の第二実施形態に係る表示体を示す図である。
【発明を実施するための形態】
【００２７】
以下、図面を参照しながら本発明の実施形態を説明する。なお、本明細書において、特に説明が無い限り、図２において視認される上下方向を「表示体の上下方向」とし、同様に視認される左右方向を「表示体の左右方向」とする。
【００２８】
図１及び図２に示される表示体１は、底板２の上に柱状物３が着脱可能に係合し、さらに柱状物３の上に蓋体５が着脱可能に係合して形成され、表示体１の一側面には、図３に示すようにシート状物４１を収容するためのシート収容ポケット４が設けられている。
【００２９】
柱状物３は、その一側端（例えば右端）に係合舌片３３を有し、他側端（例えば左端）に被係合穴３４と余面３８とを有し、図４に示すように、板材３１が左右に隣り合う２本の折り曲げ線で形成されたヒンジ３２で折り曲げられて、係合舌片３３が被係合穴３４に挿入されて両者が係合するとともに余面３８が当該係合箇所の近傍で柱状物の内側に潜り込むことで、それぞれのヒンジ３２と、係合舌片３３と被係合穴３４とが係合する箇所と、が断面の角を形成する多角形注状を呈する。
【００３０】
図４に示す板材３１は、ヒンジ３２が２本あるから、これらが２つの角を形成し、さらに図５に示す係合舌片３３と被係合穴３４とが係合する箇所がもう１つの角を形成するから、柱状物３は三角柱状を呈する。つまり、板材３１は、ヒンジ３２の数がｎであれば（ｎ＋１）角形柱状の柱状物３を形成する。
【００３１】
この場合、板材３１において左右に隣り合うヒンジ３２に囲まれた箇所が、柱状物３の一側面を形成する。つまり、隣り合うヒンジ３２とヒンジ３２との距離によって柱状物３の一側面の大きさが決められ、板材３１に設けるヒンジ３２の数によって柱状物３の形状が決められるが、これらは、当該一側面に設けられるシート収容ポケット４に収容するシート状物４１の数や大きさに応じて好適なものが選択されればよい。
【００３２】
さらに、板材３１がヒンジ３２を有さないのであれば、その様な板材３１は、係合舌片３３と被係合穴３４との間、すなわち板材３１のほぼ全域が曲面を形成する略円柱状の柱状物３を形成することができる。
【００３３】
底板２は、図２及び図６に示すように、その一面に上に向けて延びる壁部２１が設けられ、その壁部２１は、前述した柱状物３の断面形状である（ｎ＋１）角形に合わせて、（ｎ＋１）角形の閉領域を形成するように配置され、その閉領域の内側に向けて突設された係合部２２を有し、柱状物３がこの閉領域に挿入されると、係合部２２と第一被係合部３５とが係合して、柱状物３が底板２に固定される。
【００３４】
さらに、底板２は、図７に示すように、第一底板片２３の一側端から突出するように設けられた被接続部２５と、第二底板片２４の一側端の近傍であってわずかに一側端と反対側に向かう位置に、底板２において表示体の下方向に相当する方向に立設され、後述するフック受け部２５２を引っ掛けるようにフック形状が形成された接続部２６（フック部２６）と、が着脱自在に接続されて形成される。
【００３５】
被接続部２５は、フック受け部２５２とそれを支持する支持部２５１とから成り、支持部２５１は、第一底板片２３の一側端において第一底板片２３から離れる方向に突出するように形成され、この突出方向と略直交する方向にフック受け部２５２が延出するように形成されている。
【００３６】
第一底板片２３の一側端からフック受け部２５２においてその一側端と対面する位置にある端面までの距離と、第二底板片２４の一側端からフック部２６においてその一側端と対面する位置にある端面と反対側の端面までの距離と、が略同じであれば、第一底板片２３と第二底板片２４とが接続されるとそれぞれの一側端が互いに当接しながらフック部２６がフック受け部２５２に引っかかるが、前者の距離が後者の距離よりもわずかに短く形成されていれば、第一底板片２３と第二底板片２４とが接続されるときにフック部２６やフック受け部２５２がわずかに撓むことになり、その撓みに対する復元力により、第一底板片と第二底板片とが強固に接続されることなる。
【００３７】
このように、接続部２６をフック形状を呈するフック部２６とし、被接続部２５をフック部２６と引っかかるフック受け分２５２を有するものとしたが、このような形状に限られるものではなく、接続部２６と被接続部２５とが接続されるように形成されるのであれば他の形状が採用されてもよい。
【００３８】
蓋体５は、図１、図３及び図８に示すように、表示体３の上部に頭頂板５０が位置するように取り付けられることで頭頂板５０が柱状物３の屋根部５０を形成するものであるが、前述した柱状物３の断面形状及び壁部２１が形成する閉領域に対応して（ｎ＋１）角形の板状を呈し、その図形の各辺に相当する屋根部５０の各端辺から下に向けて延びる壁部５１が設けられ、その壁部５１に囲まれた領域の内側に向けて突設された係合部５２を有し、柱状物３がこの閉領域に挿入されると、係合部５２と第二被係合部３６とが係合して、蓋体５が柱状物３に固定される。
【００３９】
ここまで、柱状物３を底板２に対して起立するように両者を係合させる構成について説明したが、柱状物３にシート状物４１を収容するためのシート収容ポケット４が設けられた表示体１を何かに対して起立させることが出来れば、このような構成に限定される必要がない。以下、底板２を要さない表示体１の構成について説明する。
【００４０】
図９に示す従来のベルトパーテーションスタンド９は、ベース９１の上に支柱９２が立設され、ベルト収納ヘッド９３が支柱９２の上端に連結されており、パーテーションベルト９４は、ベルト収納ヘッド９３に設けられたスリット状のベルト導出部９３１を通じてベルト収納ヘッド９３の外部に繰り出し可能に形成され、その繰り出されたパーテーションベルト９４の先端を隣接する他のベルトパーテーションスタンド９のベルト収納ヘッド９３に設けられたベルトエンド受け部に取り付けることで、隣り合う複数のベルトパーテーションスタンド９の間で延びるパーテーションベルト９４によって、スペースを仕切るものである。
【００４１】
このようなベルトパーテーションスタンド９取り付けることが可能な柱状物３は、その断面積が支柱９２のそれよりも大きく形成され、さらに、その側端にベルト通過穴３７を有する。そのため、柱状物３が支柱９２を覆いながらベルト通過穴３７がベルト導出部９３１に対向するように、柱状物３をベース９１に載置すると、柱状物３に覆われた支柱９２のベルト導出部９３１からベルト通過穴３７を通ってパーテーションベルト９４が柱状物３の外に出ることが出来るから、このようなベルトパーテーションスタンド９は、自らが持つパーテーションとしての機能に加えて表示体としての機能をも担保することが出来る。
【符号の説明】
【００４２】
１  表示体
２  底板
２１  壁部
２２  係合部
２３  第一底板片
２４  第二底板片
２５  被接続部
２５１支持部
２５２  フック受け部
２６  接続部（フック部）
３  柱状物
３１  板材
３２  ヒンジ
３３  係合舌片
３４  被係合穴
３５  第一被係合部
３６  第二被係合部
３７  ベルト通過穴
３８  余面
４  シート収容ポケット
４１  シート状物
５  蓋体
５０  屋根部（頭頂板）
５１  壁部
５２  係合部
９  ベルトパーテーションスタンド
９１  ベース
９２  支柱
９３  ベルト収納ヘッド
９３１  ベルト導出部
９４  パーテーションベルト
【図１】
2018025622.tif 000003
【図２】
2018025622.tif 000004
【図３】
2018025622.tif 000005
【図４】
2018025622.tif 000006
【図５】
2018025622.tif 000007
【図６】
2018025622.tif 000008
【図７】
2018025622.tif 000009
【図８】
2018025622.tif 000010
【図９】
2018025622.tif 000011
【図１０】
2018025622.tif 000012